【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
記録材に画像を形成する画像形成手段と、
前記画像形成手段によって画像が形成された記録材が載置される処理トレイと、
前記処理トレイに載置された記録材を検知する検知手段と、
前記処理トレイに載置された記録材に対してステイプル処理を実行するステイプルユニットと、
前記ステイプルユニットによって前記ステイプル処理が実行された記録材を前記処理トレイから排出口を介して排出する排出手段と、
前記排出手段によって排出された記録材が載置される排出トレイと、
装置本体の外部から前記排出口を介して前記処理トレイに挿入された記録材にステイプル処理を実行するマニュアルステイプルを選択する選択手段と、
前記マニュアルステイプルが選択されている状態において、前記ステイプルユニットによる前記ステイプル処理の実行指示を出す指示手段と、
前記マニュアルステイプルが選択されている状態で、所定時間が経過しても前記検知手段によって記録材が検知されなかった場合、前記マニュアルステイプルを解除する制御手段と、を有することを特徴とする画像形成システム。
【請求項２】
前記制御手段は、前記マニュアルステイプルが選択されている場合、前記画像形成手段による画像の形成を実行させず、前記マニュアルステイプルが解除されている場合、前記画像形成手段による画像の形成を実行させることを特徴とする請求項１に記載の画像形成システム。
【請求項３】
前記制御手段は、前記画像形成手段により記録材に画像を形成させた後、前記ステイプルユニットによりステイプル処理を実行させ、前記ステイプル処理が実行された記録材を前記排出手段に排出させることを特徴とする請求項２に記載の画像形成システム。
【請求項４】
前記制御手段は、前記マニュアルステイプルが選択されている状態において、前記検知手段によって記録材が検知された場合、前記指示手段により前記ステイプル処理の実行指示を受けると前記ステイプルユニットによるステイプル処理を実行させることを特徴とする請求項１乃至３のいずれか１項に記載の画像形成システム。
【請求項５】
前記排出手段は、前記処理トレイに載置された記録材と当接する当接位置と、前記処理トレイに載置された記録材から離間した離間位置の間で移動可能なローラであって、
前記制御手段は、前記マニュアルステイプルが選択されている場合、前記ローラを前記離間位置へと移動させ、前記マニュアルステイプルが解除されている場合、前記ローラを前記当接位置へと移動させることを特徴とする請求項１乃至４のいずれか１項に記載の画像形成システム。
【請求項６】
前記制御手段は、前記ローラが前記離間位置にある状態で排出動作を実行させる場合、前記離間位置にある前記ローラを前記当接位置に移動させることを特徴とする請求項５に記載の画像形成システム。
【請求項７】
記録材に画像を形成する画像形成手段と、
前記画像形成手段によって画像が形成された記録材が載置される処理トレイと、
前記処理トレイに載置された記録材を検知する検知手段と、
前記処理トレイに載置された記録材に対してステイプル処理を実行するステイプルユニットと、
前記ステイプルユニットによって前記ステイプル処理が実行された記録材を前記処理トレイから排出口を介して排出する排出手段と、
前記排出手段によって排出された記録材が載置される排出トレイと、
前記ステイプルユニットによる前記ステイプル処理の実行指示を出す指示手段と、
前記画像形成手段から搬送された記録材を、前記処理トレイを介して前記排出トレイへと排出する第１のモードと、装置本体の外部から前記排出口を介して前記処理トレイに挿入された記録材を前記検知手段により検知した状態で、前記指示手段からの前記実行指示を待機し、前記実行指示を受けて前記記録材に対して前記ステイプル処理を実行する第２のモードを切り替え可能な制御手段と、を有する画像形成システムにおいて、
前記制御手段は、前記第２のモードにおいて前記検知手段が前記処理トレイに挿入された記録材を検知してから、前記実行指示を待機している状態で前記第１のモードによる記録材の搬送指示が出された場合、前記ステイプルユニットによって前記処理トレイに挿入された記録材に対して前記ステイプル処理を実行させることなく、前記排出手段によって前記処理トレイに挿入された記録材を前記排出トレイへ排出させる排出動作を実行させることを特徴とする画像形成システム。
【請求項８】
前記制御手段は、前記第２のモードにおいて前記検知手段が前記処理トレイに挿入された記録材を検知してから、前記実行指示を待機している状態で前記第１のモードによる前記記録材の搬送指示が出され、かつ、前記検知手段が前記処理トレイに挿入された記録材を検知してから、前記実行指示を待機している状態で所定時間が経過した場合、前記排出手段に前記排出動作を実行させ、
前記第２のモードにおいて前記検知手段が前記処理トレイに挿入された記録材を検知してから、前記実行指示を待機している状態で前記第１のモードによる前記記録材の搬送指示が出され、かつ、前記検知手段が前記処理トレイに挿入された記録材を検知してから、前記実行指示を待機している状態で前記所定時間が経過していない場合、前記排出手段に前記排出動作を実行させないことを特徴とする請求項７に記載の画像形成システム。
【請求項９】
前記制御手段は、前記排出手段による前記排出動作を実行させた後、前記制御手段の動作モードを前記第２のモードから前記第１のモードに切り替えて、前記第１のモードによる前記記録材の搬送指示に応じて、前記画像形成手段から搬送された記録材を、前記処理トレイを介して前記排出トレイへと排出させることを特徴とする請求項７または８に記載の画像形成システム。
【請求項１０】
前記第１のモードとは、前記画像形成手段から前記処理トレイに搬送された記録材に対して前記ステイプルユニットによって前記ステイプル処理を実行させ、前記排出手段によって前記ステイプル処理された記録材を前記排出トレイへ排出させるモードであることを特徴とする請求項７乃至９のいずれか１項に記載の画像形成システム。
【請求項１１】
記録材に画像を形成する画像形成手段と、
前記画像形成手段によって画像が形成された記録材が載置される処理トレイと、
前記処理トレイに載置された記録材を検知する検知手段と、
前記処理トレイに載置された記録材に対してステイプル処理を実行するステイプルユニットと、
前記ステイプルユニットによって前記ステイプル処理が実行された記録材を前記処理トレイから排出口を介して排出する排出手段と、
前記排出手段によって排出された記録材が載置される排出トレイと、
前記ステイプルユニットによる前記ステイプル処理の実行指示を出す指示手段と、
前記画像形成手段から搬送された記録材を、前記処理トレイを介して前記排出トレイへと排出する第１のモードと、装置本体の外部から前記排出口を介して前記処理トレイに挿入された記録材を前記検知手段により検知した状態で、前記指示手段からの前記実行指示を待機し、前記実行指示を受けて前記記録材に対して前記ステイプル処理を実行する第２のモードを切り替え可能な制御手段と、を有する画像形成システムにおいて、
前記制御手段は、前記第２のモードにおいて前記検知手段が前記処理トレイに挿入された記録材を検知してから、前記実行指示を待機している状態で所定時間が経過した場合、前記ステイプルユニットによって前記処理トレイに挿入された記録材に対して前記ステイプル処理を実行させることなく、前記排出手段によって前記処理トレイに挿入された記録材を前記排出トレイへ排出させる排出動作を実行させることを特徴とする画像形成システム。
【請求項１２】
前記制御手段の動作モードを前記第２のモードへと切り替える切り替え手段を有し、
前記切り替え手段により前記動作モードが前記第２のモードへと切り替わってから第２の所定時間が経過しても前記検知手段が前記処理トレイに載置された記録材を検知しない場合、前記制御手段は前記動作モードを前記第１のモードへと切り替えることを特徴とする請求項７乃至１１のいずれか１項に記載の画像形成システム。
【請求項１３】
前記排出手段は、前記処理トレイに載置された記録材と当接する当接位置と、前記処理トレイに載置された記録材から離間した離間位置の間で移動可能なローラであって、
前記制御手段の動作モードが前記第１のモードに切り替わった場合、前記制御手段は前記ローラを前記当接位置へと移動させ、前記動作モードが前記第２のモードに切り替わった場合、前記制御手段は前記ローラを前記離間位置へと移動させることを特徴とする請求項７乃至１２のいずれか１項に記載の画像形成システム。
【請求項１４】
前記制御手段の動作モードが前記第２のモードに切り替わり、前記ローラが前記離間位置にある状態で、前記制御手段が前記ローラに前記排出動作を実行させる場合、前記制御手段は、前記離間位置にある前記ローラを前記当接位置に移動させることを特徴とする請求項１３に記載の画像形成システム。